(57)【特許請求の範囲】
【請求項１】
上方から落下された球を、上端の開口部に連設された球入賞通路と球排出通路とに振り分けて受け入れる揺動部材と、その下方に位置し、前記球入賞通路から送り込まれた球を外周の凹部に受け入れて、特定入賞通路と一般入賞通路とに振り分けて送出するロータと、からなる遊技機の球入賞装置であって、
前記揺動部材が球入賞通路の下端の球送出部からロータに球を送出するとき、前記球送出部がロータの凹部に相対するように揺動部材をロータの回転方向に揺動させて、揺動部材とロータとの間に球噛みが発生することを防止したことを特徴とする遊技機の遊技機の球入賞装置。
【発明の詳細な説明】
【技術分野】
【０００１】
本発明は、パチンコ機等の遊技機に用いられる球入賞装置に関するものである。
【背景技術】
【０００２】
パチンコ機の遊技盤には、通常は球を入賞口に導入して大当たりなどの特別遊技状態を発生させる球入賞装置が配設されている。このような球入賞装置として、特許文献１にはスライド部材が球入賞口を開閉して球を回転体に取り込み、この回転体が、特定領域に通じる流入口と非特定領域に通じる流入口とに球を振り分ける方式のものが記載されている。また、特許文献２には、観音開きする開閉体が開放されている間に球を振分け機構に取り込み、この振分け機構が球を特定入賞口と普通入賞口とに振り分ける方式のものが記載されている。
【０００３】
しかしながら、上記したような方式のものは、球の振分け機構が特に目新しいものではなく、意外性に乏しかったりして遊技者の興味を引き付ける点において十分満足できるものではなかった。また、球の取込みに際してスライド部材や開閉体が球を噛み込んでしまうという所謂球噛み発生の問題もあった。
【特許文献１】特開２００３−２７５４１１号公報  (図１)
【特許文献２】特開２００３−１５９４０６号公報  (図１)
【発明の開示】
【発明が解決しようとする課題】
【０００４】
本発明は、上記した従来の問題点に鑑み、球の振分けに意外性を持たせることができるうえに、球噛みが発生することがない遊技機の球入賞装置を提供することを課題とする。
【課題を解決するための手段】
【０００５】
上記の課題を解決するためになされた本発明の遊技機の球入賞装置は、上方から落下された球を、上端の開口部に連設された球入賞通路と球排出通路とに振り分けて受け入れる揺動部材と、その下方に位置し、前記球入賞通路から送り込まれた球を外周の凹部に受け入れて、特定入賞通路と一般入賞通路とに振り分けて送出するロータと、からなる遊技機の球入賞装置であって、
前記揺動部材が球入賞通路の下端の球送出部からロータに球を送出するとき、前記球送出部がロータの凹部に相対するように揺動部材をロータの回転方向に揺動させて、揺動部材とロータとの間に球噛みが発生することを防止したことを特徴とするものである。
【０００６】
上記した発明において、揺動部材の上方に、球を旋回させて球の落下タイミングを不均一化させたのちに中央の孔部から下方に落下させるクルーンを配置することができ、
揺動部材を、モータの回転軸に接続されたクランク機構で揺動するものとすることができ、
ロータに、球をロータの一側方向に排出可能な一般凹部と、球をロータの放射方向に排出可能な特定凹部とを設けることができる。
【０００７】
また、モータの回転軸にロータ駆動用のギアを装着して、一つのモータを揺動部材の揺動とロータの回転とに共用することができる。
また、球入賞通路と球排出通路とを仕切り壁を介して並設し、この仕切り壁の上端に球の通過を可能とする連通部を設けて、クルーンと揺動部材との間に球噛みが発生するのを防止することができる。
さらに、揺動部材が球入賞通路の下端の球送出部からロータに球を送出するとき、前記球送出部がロータの凹部と相対するように揺動部材をロータの回転方向に揺動させて、揺動部材とロータとの間に球噛みが発生するのを防止することができる。
【発明の効果】
【０００８】
請求項１に係る発明は、揺動部材で球を入賞球と非入賞球とに振り分けたうえに、入賞球をロータで一般入賞通路と特定入賞通路とに振り分けるので、遊技の状態に変化を付けて、遊技の興趣を盛り上げることができる。また、揺動部材の揺動をロータに球を送出するタイミングと連動させたので、揺動部材とロータとの間に球が噛み込まれることがない。
【発明を実施するための最良の形態】
【０００９】
以下に、本発明を実施形態に基づき説明する。
図１は、本発明の遊技機の球入賞装置を示す斜視図、図２、３は、当該球入賞装置が配置された非入賞状態の遊技機の球振分け機構部を示す図である。図において、２は揺動部材、３はロータである。
【００１０】
揺動部材２の上方にはクルーン１が配置してある。このクルーン１は、受け皿形状の器の中央に穴部１１が設けられたものであって、上方の球取込み通路１２から送り込まれた球を適宜の回数旋回させて、球の落下タイミングを不均一化させたのちに、穴部１１より下方に落下させる。
【００１１】
揺動部材２は上端に開口部２１を有し、この開口部２１に連通して球入賞通路２２と球排出通路２３とが設けられている。球入賞通路２２と球排出通路２３とは、開口部２１において仕切り壁２４を挟んで並設されている。球入賞通路２２は揺動部材２の内部を下方に延伸されており、球排出通路２３には、樋状の球受け部２５が横向きに形成されていて、球受け部２５に球を受け入れたときには、球排出口２６を通って後方の球通路２７に球が排出される。
【００１２】
仕切り壁２４の上端は切り欠かれていて、球の通過を可能とする連通部２０が設けられている。よって、この連通部２０にて球を球入賞通路２２と球排出通路２３との何れかに流れ込ませることができるので、クルーン１の底面と仕切り壁２４上端との間で球噛みが発生するのを防止することができる。
【００１３】
揺動部材２は、下端の支軸２８を中心としてモータ５によって揺動される。すなわち、モータ軸５１にはモータギア５２が装着されており、このモータギア５２は端部に円板５３を有し、この円板５３にはモータ軸５１に対して偏心する位置にクランクピン５４が突設されている。このクランクピン５４は揺動部材２の中程に形成された長円形状の係合凹部２９に差し込まれているので、後述するクランク機構にて揺動部材２を揺動させることができる。
なお、図２、３の状態においては、穴部１１の下方に球受け部２５が位置しているので、クルーン１から落下した球は球受け部２５に落下して球排出口２６から球通路２７を通って排出される。
【００１４】
揺動部材２の支軸２８には、ロータ３が装着されている。ロータ３の外周には４つの一般凹部３３と一つの特定凹部３５とからなる球受け用の凹部がロータ３の放射方向に向けて形成されている。これらの凹部３３、３５は一側に側壁３２を有しており、球入賞通路２２から送出された球を上部から受け入れることができる。一般凹部３３は側壁３２の他方に開放部３１が設けられており、一般凹部３３の底は開放部３１に向けて低く傾斜されているので、一般凹部３３に受け入れられた球は、開放部３１を通って一般入賞通路に送出される。
【００１５】
特定凹部３５には、開放部３１に球の送出を阻止するストッパー３４が突設してある。したがって、特定凹部３５からは球をロータ３の一側方向に送出することはできず、特定凹部３５が下向きになったときに、ロータ３の放射方向に向けて球を送出して、特定入賞通路に入賞させることができる。
【００１６】
また、ロータ３が装着された支軸２８の他方の端部にはロータ３の駆動用ギア３６が取り付けられており、この駆動用ギア３６は前記したモータギア５２と噛合されているので、一つのモータ５で揺動部材２の揺動とロータ３の回転とを行うことができる。
【００１７】
次に、揺動部材２を揺動させるクランク機構を図４〜７により説明する。なお、図４〜７は、揺動部材２を図２とは反対側のモータ５側の側面から示す図である。
図４に示す揺動部材２は、クランクピン５４がモータ軸５１の垂直上方で係合凹部２９内の最高位置に回転されていることにより、支軸２８の垂直上向きに開放部２１は向けられている。クランクピン５４が図において右方向に回転されることにより、クランクピン５４は係合凹部２９内を下がるように摺動して、クランクピン５４がモータ軸５１の右側に位置することとなるので、図５のように揺動部材２は右に傾動される。さらに、クランクピン５４が右回りに回転されることによって、図６のように、クランクピン５４がモータ軸５１の下方に位置することになるので、揺動部材２は再び垂直上方向きとなる。そしてさらにクランクピン５４が右回りに回転されることによって、図７のようにクランクピン５４はモータ軸５１の左側に位置することになるので、揺動部材２は左に傾動されることとなる。以上のようにして揺動部材は左右に揺動することができる。
【００１８】
球入賞装置における球の振分けについて以下に説明する。
図８〜１１は、球が球入賞通路２２に入賞し、この球が一般凹部３３に受け入れられたときの球の流れを示す図である。すなわち、球は球入賞通路２２に流入し（図８）、この球が一般凹部３３に入り込む（図９）。ロータ３が図１０に示す状態に回転されたときには球がロータ３の一側方向に排出されるので、球は一般入賞通路４１に流入する（図１１）。
【００１９】
図１２〜１５は、球が球入賞通路２２に入賞し、この球が特定凹部３５に受け入れられたときの球の流れを示す図である。すなわち、球は球入賞通路２２に流入し（図１２）、この球が特定凹部３５に入り込む（図１３、１５）。引き続いてロータ３が回転されてもストッパー３４が球の横方向への排出を阻止するので、球が一般入賞通路４１に流入することはない。そして、特定凹部３５がやや下向きに回転されたときに、特定凹部３５から球をロータ３の放射方向に排出することができるので、この球を特定入賞通路４２に入賞させることができる。
【００２０】
なお、図１２、１３に示すように、揺動部材２が球入賞通路２２の下端の球送出部３０からロータ３に球を送出するときは、球送出部３０がロータ３の球受け用の凹部３３、３５と相対して（即ち、連通して）揺動部材２がロータ３の回転方向に揺動するように、揺動部材２の揺動をロータ３の回転と連動させてある。よって、揺動部材２とロータ３との間に球噛みが発生することはない。
【図面の簡単な説明】
【００２１】
【図１】遊技機の球入賞装置の斜視図である。
【図２】球振分け機構部の正面断面図である。
【図３】球振分け機構部の側面断面図である。
【図４】垂直上方に向けられた揺動部材の説明図である。
【図５】右に傾動された揺動部材の説明図である。
【図６】再び垂直上方に向けられた揺動部材の説明図である。
【図７】左に傾動された揺動部材の説明図である。
【図８】球が球入賞通路に流入する状態を示す球振分け機構部の正面断面図である。
【図９】球が一般凹部に流入する状態を示す球振分け機構部の正面断面図である。
【図１０】球が一般入賞通路に流入する状態を示す球振分け機構部の正面断面図である。
【図１１】図１０の側面断面図である。
【図１２】球が球入賞通路に流入する状態を示す球振分け機構部の正面断面図である。
【図１３】球が特定凹部に流入する状態を示す球振分け機構部の正面断面図である。
【図１４】球が特定入賞通路に流入する状態を示す球振分け機構部の正面断面図である。
【図１５】図１３の側面断面図である。
【符号の説明】
【００２２】
１  クルーン、２  揺動部材、３  ロータ  ２１  開口部、２２  球入賞通路、２３  球排出通路、３３  一般凹部、３５  特定凹部、４１  一般入賞通路、４２  特定入賞通路
【図１】
0004812407.tif 000002
【図２】
0004812407.tif 000003
【図３】
0004812407.tif 000004
【図４】
0004812407.tif 000005
【図５】
0004812407.tif 000006
【図６】
0004812407.tif 000007
【図７】
0004812407.tif 000008
【図８】
0004812407.tif 000009
【図９】
0004812407.tif 000010
【図１０】
0004812407.tif 000011
【図１１】
0004812407.tif 000012
【図１２】
0004812407.tif 000013
【図１３】
0004812407.tif 000014
【図１４】
0004812407.tif 000015
【図１５】
0004812407.tif 000016